(57)【特許請求の範囲】
【請求項１】
切開された指先から体液を絞り出すための搾液具であって、
指先を挿入するための収容空間を有する収容部と、
上記収容部に形成されるとともに上記収容空間において突出し、上記収容部に指先を挿入するときに指先に作用する挿入抵抗に比べて、上記収容部から指先を抜脱するときに指先に作用する抜脱抵抗のほうが大きくなるように指先に押圧力を作用させるための作用部と、
を備えたことを特徴とする、搾液具。
【請求項２】
上記作用部は、上記収容部に指先を挿入するときに、上記挿入抵抗が小さくなるように撓むことが可能なように構成されている、請求項１に記載の搾液具。
【請求項３】
上記作用部は、板バネとして構成されている、請求項２に記載の搾液具。
【請求項４】
上記収容部は、指先における出液部位に対応させた貫通孔を有している、請求項１ないし３のいずれかに記載の搾液具。
【請求項５】
皮膚に穿刺要素を突き刺して皮膚を切開させるための穿刺装置に装着して使用するものである、請求項１ないし４のいずれかに記載の搾液具。
【請求項６】
皮膚に穿刺要素を突き刺して皮膚を切開するための装置本体と、
指先から体液を絞り出すための搾液具と、を備え、
上記搾液具は、指先を挿入するための収容空間を有する収容部と、上記収容部に形成されるとともに上記収容空間において突出し、上記収容部に指先を挿入するときに指先に作用する挿入抵抗に比べて、上記収容部から指先を抜脱するときに指先に作用する抜脱抵抗のほうが大きくなるように指先に押圧力を作用させるための作用部と、を備えていることを特徴とする、穿刺装置。
【請求項７】
上記作用部は、上記収容部に指先を挿入するときに、挿入抵抗が小さくなるように撓むことが可能なように構成されている、請求項６に記載の穿刺装置。
【請求項８】
上記作用部は、板バネとして構成されている、請求項６に記載の穿刺装置。
【請求項９】
上記作用部は、抜脱方向側に位置する第１開口部と、挿入方向側に位置し、かつ上記第１開口部よりも径の小さい第２開口部を有している、請求項６に記載の穿刺装置。
【請求項１０】
上記第２開口部は、指先を挿入したときに径が大きくなるように構成されている、請求項９に記載の穿刺装置。
【請求項１１】
上記収容部は、指先における出液部位に対応させた貫通孔を有している、請求項６ないし１０のいずれかに記載の穿刺装置。
【請求項１２】
上記搾液具は、上記装置本体に対して着脱自在とされている、請求項６ないし１１のいずれかに記載の穿刺装置。
【発明の詳細な説明】
【技術分野】
【０００１】
本発明は、皮膚から体液を採取するための技術に関する。
【背景技術】
【０００２】
皮膚から血液を採取する場合には、皮膚に針を突き刺すように構成された穿刺装置が用いられている。穿刺装置においては、血液の出液を促進するために種々の方法が採用されている。代表的なものとしては、穿刺装置に組み込んだポンプを用いて皮膚に負圧を作用させ、皮膚を盛り上げて血液を集める方法(たとえば特許文献１参照)、あるいは指を圧迫して鬱血させる方法が挙げられる(たとえば特許文献２−４参照)。
【０００３】
しかしながら、負圧を作用させる方法では、穿刺装置に電動式あるいは手動式のポンプを組み込む必要がある。そのため、電動式のポンプを用いる方法では、ポンプおよびポンプの駆動源によって装置が大型化するとともに重量が大きくなる。その結果、電動式のポンプを採用した穿刺装置は、携帯性が悪いものとなってしまう。また、ポンプを駆動源によって駆動すれば、消費電力が大きくなってランニングコストが高くなる。一方、手動式のポンプを用いる方法では、負圧を発生させるためのポンプ機構を設けることによって装置構成が複雑化して製造コストが高くなる。使用者にとっては、ポンプ機構を動作させるために煩わしい操作を強いられる。
【０００４】
また、電動式あるいは手動式を問わず、負圧を作用させる方法では、穿刺装置の先端部を適切に皮膚に押し付けた状態を維持しなければ穿刺装置の先端部に空気が流入する。また、穿刺装置の先端部と皮膚との間に体毛が介在することによって穿刺装置の先端部に空気が流入する。その結果、負圧を作用させる方法では、何らの手立ても講じなければ、皮膚に対して適切に負圧を作用させることができないといった問題がある。
【０００５】
一方、指を圧迫する方法では、穿刺装置にカフおよび駆動源を設け、駆動源によってカフに空気を注入することにより指を圧迫する方法が採用されている。そのため、カフおよび駆動源によって装置の大型化および重量増加を招き、携帯性が悪いものとなる。また、カフを駆動するための動力が必要なために、消費電力ひいてはランニングコストが大きくなる。
【０００６】
【特許文献１】特表２００１−５１５３７７号公報
【特許文献２】特開平９−８９８８５号公報
【特許文献３】特開平９−３１３４６５号公報
【特許文献４】特開平１０−５１９９号公報
【発明の開示】
【発明が解決しようとする課題】
【０００７】
本発明は、コスト的に有利に製造でき、少ないランニングコストで、簡易な操作によって血液などの体液を適切に採取できるようにすることを課題としている。
【課題を解決するための手段】
【０００８】
本発明の第１の側面においては、切開された指先から体液を絞り出すための搾液具であって、指先を挿入するための収容空間を有する収容部と、上記収容部に形成されるとともに上記収容空間において突出し、上記収容部に指先を挿入するときに指先に作用する挿入抵抗に比べて、上記収容部から指先を抜脱するときに指先に作用する抜脱抵抗のほうが大きくなるように指先に押圧力を作用させるための作用部と、を備えたことを特徴とする、搾液具が提供される。
【０００９】
本発明の搾液具は、たとえば皮膚に穿刺要素を突き刺して皮膚を切開させるための穿刺装置に装着して使用するものとして構成される。この場合、搾液具においては、穿刺装置によって指先の皮膚を切開した後に、作用部によって指先に対して力を作用させることによって体液が搾液される。もちろん、本発明の搾液具は、穿刺装置に装着せずに使用することもできる。すなわち、皮膚の指先を予め切開しておいた上で、指先を搾液具に挿入した後に抜脱することによって、指先から体液を搾液することもできる。
【００１０】
本発明の第２の側面においては、皮膚に穿刺要素を突き刺して皮膚を切開するための装置本体と、指先から体液を絞り出すための搾液具と、を備え、上記搾液具は、指先を挿入するための収容空間を有する収容部と、上記収容部に形成されるとともに上記収容空間において突出し、上記収容部に指先を挿入するときに指先に作用する挿入抵抗に比べて、上記収容部から指先を抜脱するときに指先に作用する抜脱抵抗のほうが大きくなるように指先に押圧力を作用させるための作用部と、を備えていることを特徴とする、穿刺装置が提供される。搾液具は、装置本体に対して着脱自在に構成するのが好ましい。
【００１３】
作用部は、たとえば収容部に指先を挿入するときに、挿入抵抗が小さくなるように撓むことが可能なように構成される。このような作用部の例としては、板バネが挙げられる。この板バネは、収容部に対して一体成形してもよいし、別体として形成した後に収容部に固定してもよい。
【００１４】
作用部は、抜脱方向側に位置する第１開口部と、挿入方向側に位置し、かつ上記第１開口部よりも径の小さい第２開口部を有するものとして構成することもできる。この場合、第２開口部は、指先を挿入したときに径が大きくなるように構成するのが好ましい。このような第２開口部は、たとえば作用部の全体をゴムなどの弾性体として構成することにより形成することができる。
【００１５】
収容部は、たとえば指先における出液部位に対応させた貫通孔を有するものとして構成される。
【００１６】
本発明に係る穿刺装置においては、穿刺要素によって指先の皮膚を切開した後に、搾液具の作用部によって指先に対して力を作用させることによって体液を搾液してもよいし、搾液具の作用部によって指先に対して力を作用させた状態において穿刺要素によって指先の皮膚を切開した後に、搾液具から指先を抜脱することによって、指先から体液を搾液することもできる。
【発明を実施するための最良の形態】
【００１７】
以下においては、第１および第２の実施の形態に基づいて、本発明を説明する。
【００１８】
まず、本発明の第１の実施の形態について説明する。図１および図２に示した穿刺装置１は、ランセット２を装着して使用するものであり、装置本体３および搾液具４と、を備えている。
【００１９】
装置本体３は、筐体３０および穿刺機構５を備えている。
【００２０】
筐体３０は、後述する各種の要素を収容したものであるが、その上部に一対のガイド部３１が設けられている。各ガイド部３１は、矢印Ｎ′,Ｎ″方向に延びる溝として形成されている。このガイド部３１は、後述する搾液具４のガイド部４２を係合させるためのものであり、装置本体３に対して搾液具４を装着するときに利用されるものである。
【００２１】
図１および図３に示したように、穿刺機構５は、搾液具４の収容空間４０ａに保持された指先１０を穿刺するためのものであり、ハウジング５０、ランセットホルダ５１および作用部５２を有している。
【００２２】
ハウジング５０は、ランセット２およびランセットホルダ５１を収容するためのものである。このハウジング５０は、開口部５３、貫通孔５４、および一対の段部５５を有している。
【００２３】
開口部５３は、図２および図３に良く表れているように、ランセット２を挿入する際に利用されるものであり、切欠５３ａを有している。切欠５３ａは、後述するランセット２の凸部２２Ｃを係合させるためのものである。
【００２４】
図１および図３に示したように、貫通孔５４は、後述するランセットホルダ５１の係合部５１ａの移動を許容し、その周辺部５４ａにおいて係合部５１ａを係止させるための部分である。
【００２５】
一対の段部５５は、後述するランセット２の収容部２２に押圧力を作用させるためのものであり、ハウジング５０の内方に向けて突出している。一対の段部５５は、図３における上方側の部分がテーパ状に形成されている。
【００２６】
ランセットホルダ５１は、ランセット２を保持するためのものである。ランセットホルダ５１には、係合部５１ａおよびフランジ部５１ｂが設けられている。係合部５１ａは、ハウジング５０の貫通孔５４の周辺部５４ａに係合可能なフック状に形成されている。フランジ部５１ｂと貫通孔５４の周辺部５４ａとの間には、コイルバネ５７が配置されている。コイルバネ５７は、係合部５１ａを貫通孔５４の周辺部５４ａに係合させた状態では、圧縮状態となるようになっている。したがって、係合部５１ａが貫通孔５４の周辺部５４ａに係合した状態を解除すれば、コイルバネ５７の弾発力がフランジ部５１ｂに作用し、ランセットホルダ５１が矢印Ｎ１方向に移動させられる。フランジ部５１ｂと段部５５との間には、コイルバネ５８が配置されている。コイルバネ５８は、ランセットホルダ５１を矢印Ｎ１方向に移動させたときに圧縮されるものであり、そのときの弾発力をフランジ部５１ｂに作用させてランセットホルダ５１を矢印Ｎ２方向に移動させるためのものである。ただし、コイルバネ５８は省略してもよい。
【００２７】
作用部５２は、ランセットホルダ５１の係合部５１ａが貫通孔５４の周辺部５４ａに係合した状態を解除するためのものであり、矢印Ｎ′,Ｎ″方向に移動可能とされている。すなわち、作用部５２は、矢印Ｎ″方向に移動させられたときに係合部５１ａに干渉して係合部５１ａに押圧力を作用させ、係合部５１ａが貫通孔５４の周辺部５４ａに係合した状態を解除することができる。この作用部５２は、制御手段５９により矢印Ｎ′,Ｎ″方向への移動が制御されている。もちろん、手動により作用部５２を移動させるように構成することもできる。
【００２８】
一方、図１および図２に示したように、搾液具４は、装置本体３に対して着脱自在とされており、本体部４０、作用部４１およびガイド部４２を有している。
【００２９】
本体部４０は、指先を収容するための収容空間４０ａと、この収容空間４０ａに対して指先１０を出し入れするための開口部４０ｂと、収容空間４０ａに挿入した指先１０において、穿刺対象部位１０ａを露出させるための貫通孔４０ｃを有している。
【００３０】
作用部４１は、図４に良く表れているように、収容空間４０ａから指先１０を抜き出す際に、指先に対して矢印Ｎ″方向に向けた力を作用させるためのものである。この作用部４１は、板バネとして構成されており、収容空間４０ａに指先を挿入するときに比べて、収容空間４０ａから指先１０を抜き出すときのほうが指先１０に作用する移動抵抗が大きくなるように構成されている。この作用部４１は、たとえば金属板を折り曲げることにより形成することができる。また、作用部４１は、たとえばインサート成形により本体部４０に一体化されている。もちろん、板バネとしての作用部は、収容部に対して一体的に樹脂成形してもよい。
【００３１】
図１および図２に示したように、ガイド部４２は、矢印Ｎ′,Ｎ″方向に延びる凸部として構成されており、装置本体３のガイド部３１に係合させるためのものである。
【００３２】
図２および図３に示したように、ランセット２は、装置本体３におけるハウジング５０に挿入して使用するものである。図５〜図７に示したように、ランセット本体２０、キャップ部２１、収容部２２、およびバイオセンサ２３を備えている。
【００３３】
ランセット本体２０は、穿刺針２０ａ、穿刺針２０ａの針先側の端部を覆う保護部２０ｂ、および穿刺針２０ａにおける針先とは反対側の端部を埋設した保持部２０ｃを有している。保護部２０ｂと保持部２０ｃとの間には、切り込み２０ｄが形成されており、この切り込み２０ｄにおいて保護部２０ｂと保持部２０ｃとを分離できるように構成されている。保護部２０ｂには、凹部２０ｅが形成されている。この凹部２０ｅは、後述するキャップ部２１の係合支持部２１ａを嵌合させるためのものである。
【００３４】
図６ないし図８に示したように、キャップ部２１は、収容部２２に対して着脱自在に保持されているとともに、係合支持部２１ａを介して、ランセット本体２０を保護部２０ｂにおいて支持している。そのため、収容部２２からキャップ部２１を分離させるときには、ランセット本体２０において保護部２０ｂを分離させて穿刺針２０ａを露出させることができる。
【００３５】
図５ないし図７に示したように、収容部２２は、ランセット本体２０およびバイオセンサ２３を保持するためのものであり、全体として円筒状に形成されている。この収容部２２は、３組の一対の凸部２２Ａ（２２Ａａ, ２２Ａｂ），２２Ｂ,２２Ｃを有している。
【００３６】
図７および図９に示したように、一対の凸部２２Ａａ，２２Ａｂは、ランセット本体２０を保持部２０ｃにおいて密着させるためのものであり、収容部２２の内面２２ａにおいて、第１の直径軸Ｄ１に沿って設けられている。凸部２２Ａａからは、図７および図１０に良く表れているように、バイオセンサ２３を支持するための支持部２２Ｅが延出している。この支持部２２Ｅは、板バネとして機能するバネ部２２Ｅａ、およびバイオセンサ２３が載置される載置部２２Ｅｂを有している。載置部２２Ｅｂには、切欠２２Ｅｃが設けられている。図１１に仮想線で示したように、切欠２２Ｅｃの内面２２Ｅｄは、載置部２２Ｅｂを自然状態よりも若干外方側に位置させた状態で、ランセット本体２０の保護部２０ｂに当接している。また、切欠２２Ｅｃの内面２２Ｅｄは、ランセット本体２０において保護部２０ｂを分離させて穿刺針２０ａを露出させた状態では、自然状態に位置する。このとき、切欠２２Ｅｃの内面２２Ｅｄと穿刺針２０ａとの間には、隙間が設けられる。
【００３７】
図３および図６に示したように、一対の凸部２２Ｂは、装置本体３におけるハウジング５０の段部５５に干渉させるためのものであり、収容部２２の外面２２ｂの下部位置において、図１２に示したように第１直径軸Ｄ１に直交する第２直径軸Ｄ２に沿って並んで設けられている。
【００３８】
図９および図１３に示したように、一対の凸部２２Ｃは、収容部２２の外面２２ｂの上部位置において、第１の直径軸Ｄ１上に設けられている。この凸部２２Ｃは、装置本体３のハウジング５０にランセット２を挿入するときに、開口部５３における切欠５３ａに係合させるためのものある。すなわち、凸部２２Ｃは、ハウジング５０にランセット２を挿入するときに位置決めするのに利用されるものである。
【００３９】
このような収容部２２は、たとえば樹脂成形により全体が弾性変形可能なように形成されている。このため、図１２および図１３に示したように、一対の凸部２２Ｂに対して、第２の直径軸Ｄ２に沿って内方側に向けた力を作用させた場合には、少なくとも一対の凸部２２Ｂが設けられた部分において収容部２２が変形する。これにより、一対の凸部２２Ｂの距離が小さくなる一方で、一対の凸部２２Ａの距離が大きくなり一対の凸部２２Ａとランセット本体２０との間に隙間が形成される。その結果、ランセット本体２０は、収容部２２に対して、矢印Ｎ１,Ｎ２方向に相対動することができる。
【００４０】
図１４〜１７に示したバイオセンサ２３は、毛細管力により血液を移動させるとともに、血液中の特定成分、たとえばグルコースの濃度を、電極法により測定できるように構成されたものである。より具体的には、バイオセンサ２３は、基板２３ａ、一対のスペーサ２３ｂおよびカバー２３ｃによって構成されているとともに、これらの要素２３ａ〜２３ｃによって規定されるキャピラリ２３ｄを備えている。
【００４１】
基板２３ａの表面には、対極２３ｅ、作用極２３ｆおよび試薬部２３ｇが設けられている。対極２３ｅおよび作用極２３ｆは、図１４を参酌すれば分かるように、装置本体３における分析回路(図示略)に、端子３５を介して導通させるための部分である。試薬部２３ｇは、作用極２３ｅおよび対極２３ｆを繋ぐように形成されており、たとえば酸化還元酵素および電子伝達物質を含んでいる。
【００４２】
一対のスペーサ２３ｂは、キャピラリ２３ｄの幅寸法および高さ寸法を規定するためのものであり、基板２３ａの表面において、試薬部２３ｇを挟み込むように間隔を隔てて配置されている。これらのスペーサ２３ｂは、たとえば両面テープにより構成される。
【００４３】
バイオセンサ２３には、図１０および図１４に良く表れているように、半円状の切欠２３ｈが設けられている。この切欠２３ｈは、ランセット本体２０を矢印Ｎ１方向に移動させたときに穿刺針２０ａの移動を許容するためのものであり、この切欠２３ｈにおいて、キャピラリ２３ｄに血液を導入するための開口２３ｊが開放している。バイオセンサ２３は、その切欠２３ｈが載置部２２Ｅｂにおける切欠２２Ｅｃに対応する位置において、載置部２２Ｅｂに固定されている。したがって、載置部２２Ｅｂが自然状態にある場合には、切欠２３ｈと穿刺針２０ａとの間には、隙間が設けられる。
【００４４】
図２および図３に示したように、穿刺装置１を用いての穿刺作業に当たっては、まず搾液具４を取り外した状態として、ハウジング５０の開口部５３を介して、ハウジング５０にランセット２を挿入する。図１８(ａ)および図１８(ｂ)に示したように、ランセット２の挿入は、ハウジング５０の切欠５３ａに対して、ランセット２の凸部２２Ｃを位置合わせしつつ (図１３参照)、ハウジング５０にランセット２を押し込むことにより行うことができる。
【００４５】
ハウジング５０にランセット２を押し込んだ場合には、ランセット本体２０の保持部２０ｃがランセットホルダ５１に嵌めこまれる一方で、収容部２２の凸部２２Ｂがハウジング５０の段部５５に干渉する。これにより、図１２および図１３に示したように、収容部２２が変形し、ランセット本体２０が収容部２２に対して相対動可能な状態とされる。このとき、ランセット本体２０の保持部２０ｃがランセットホルダ５１に嵌めこまれることから、ランセット本体２０は、ランセットホルダ５１とともに移動することができる。また、ハウジング５０にランセット２を挿入するときに、ランセットホルダ５１を矢印Ｎ２方向に移動させ、ランセットホルダ５１の係合部５１ａをハウジング５０における貫通孔５４の周辺部５４ａに係合させることができる。これにより、コイルバネ５７が圧縮させられ、コイルバネ５７に弾発力が蓄えられる。もちろん、ランセットホルダ５１の係合部５１ａは、ランセット２を保持させる動作とは別に、貫通孔５４の周辺部５４ａに係合させてもよい。つまり、ランセットホルダ５１にランセット２を保持させる前に、係合部５１ａを貫通孔５４の周辺部５４ａに係合させておいてもよい。
【００４６】
次いで、図８、図１８(ｂ)および図１８(ｃ)に示したように、ランセット２において、キャップ部２１を取り外す。このとき、図８に良く表れているように、キャップ部２１の係合支持部２１ａがランセット本体２０における保護部２０ｂの凹部２０ｅに嵌合しているために、キャップ部２１を取り外すときに、ランセット２において保護部２０ｂが引き抜かれる。これにより、針先が露出した状態とされる。このとき、図１０および１１に示したように、バイオセンサ２３は、その切欠２３ｈ、すなわち開口２３ｊと穿刺針２０ａの針先との間に若干の間隔を隔てた位置に変位し、また図１４を参照すれば分かるように、バイオセンサ２３の作用極２３ｅおよび対極２３ｆは、装置本体３に設けられた端子３５に接触している。この状態では、作用極２３ｅと対極２３ｆとの間に電圧を印加することができ、また作用極２３ｅに供給された電子の量を電流値として測定することができる。
【００４７】
次いで、装置本体３に対して搾液具４を装着し、収容空間４０ａに指先１０を挿入する(図１および図２参照)。搾液具４の装着は、搾液具４のガイド部４２を装置本体３のガイド部３１に係合させることにより行われる(図１および図２参照)。
【００４８】
次いで、図１９(ａ)〜図１９(ｃ)に示したように、ランセット本体２０を矢印Ｎ１方向に移動させて、穿刺針２０ａを指先１０における穿刺対象部位１０ａに突き刺す。ランセット本体２０の移動は、作用部５２を図中の矢印Ｎ″方向に移動させて係合部５１ａに作用部５２を干渉させ、ランセットホルダ５１がハウジング５０に係合した状態を解除することにより行われる。ランセットホルダ５１の係合状態を解除した場合には、コイルバネ５７の弾発力によってランセットホルダ５１がランセット本体２０とともに矢印Ｎ１方向に移動し、ランセット本体２０の穿刺針２０ａは穿刺対象部位１０ａに突き刺さる。
【００４９】
図１９(ｃ)に示したように、穿刺針２０ａが穿刺対象部位１０ａに突き刺さった場合には、指先１０における穿刺対象部位１０ａが切開され、血液が出液する。このとき、穿刺針２０ａとバイオセンサ２３の開口２３ｊとの間に若干の隙間が設けられているため、バイオセンサ２３によって、血液の出液が阻害されることはない。図１９(ｃ)および図１９（ｄ）に示したように、穿刺針２０ａを穿刺対象部位１０ａに突き刺した後には、コイルバネ５７，５８の弾発力によってランセットホルダ５１が後退し、穿刺針２０ａは指先１０から即座に引き抜かれる。その後、収容空間４０ａから指先１０を抜き出す(図１および図４参照)。このとき、図４に示したように、指先１０における穿刺対象部位１０ａよりも根元側の部分に搾液具４の作用部４１が引っ掛かり、指先１０には矢印Ｎ″方向に向けた押圧力が作用する。これにより、穿刺対象部位１０ａから血液が搾り出され、バイオセンサ２３において血液を測定するのに十分な血液を出液させることができるようになる。
【００５０】
図２０(ａ)に示したように、穿刺対象部位１０ａから出液した血液Ｂは、バイオセンサ２３の開口２３ｊに到達する。穿刺針２０ａとバイオセンサ２３の開口２３ｊとの間には、若干の隙間が設けられているため、皮膚から出液した血液は、穿刺針２０ａに阻害されることなく、開口２３ｊに対して適切に導入される。バイオセンサ２３では、図２０(ａ)〜図２０(ｃ)に示したように、キャピラリ２３ｄにおいて生じる毛細管力により、血液Ｂがキャピラリ２３ｄの内部を移動する。このとき、血液Ｂによって試薬部２３ｇが溶解させられ、キャピラリ２３ｄの内部に液相反応系が構築される。液相反応系においては、血液中の特定成分、たとえばグルコースから電子が取り出され、それが作用極２３ｅに供給される。装置本体３においては、端子３５(図１４参照)を介して作用極２３ｅと対極２３ｆとの間に電圧を印加し、作用極２３ｅに対する電子の移動量が電流値として端子３５(図１４参照)によって測定される。装置本体３ではさらに、測定された電流値に基づいて、特定成分の分析、たとえばグルコース濃度の演算が行われる。
【００５１】
穿刺装置１は、搾液具４の収容空間４０ａから指先１０を抜き出す際に、作用部４１によって指先１０から血液が搾り出されるように構成されている。すなわち、従来から用いられていたポンプやカフを用いることなく、作用部４１を設けるといった極めて簡易な構成によって血液の出液を促進することができる。その結果、穿刺装置１は、製造コストを大きく上昇させることなく血液の出液を促進することができる。しかも、穿刺装置１では、駆動源を使用することなく、血液の出液を促進することができるために、ランニングコスト的に有利である。また、搾液具４の収容空間４０ａから指先１０を抜き出す際に作用部４１が指先に作用するため、使用者としては、血液の出液を促進するために煩わしい作業を強いられることもない。
【００５２】
次に、本発明の第２の実施の形態について、図２１および図２２を参照して説明する。
【００５３】
図２１に示した搾液具４′は、本体部４０′の内部に作用部４１′を固定したものであるが、作用部４１′の構成において、先に説明した搾液具４とは異なっている。
【００５４】
作用部４１′は、図２１および図２２に示したように、第１開口部４１ａ′、第２開口部４１ｂ′、収容空間４１ｃ′、およびフランジ部４１ｄ′を有しており、全体が筒状に形成されている。この作用部４１′は、ゴムやエラストマーなどによって形成することによって、全体が弾性体として構成されている。
【００５５】
第１開口部４１ａ′は、本体部４０′の内部において、抜脱方向Ｎ′側に位置させられている。この第１開口部４１ａ′は、そのサイズが指先１０の寸法よりも大きくなされている。第２開口部４１ｂ′は、本体部４０′の内部において、挿入方向Ｎ″側に位置させられており、第１開口部４１ａ′よりも小径に形成されている。この第２開口部４１ｂ′は、そのサイズが指先１０の寸法よりも小さくなされており、指先１０を挿通したときに、径が大きくなるように構成されている。収容空間４１ｃ′は、第１および第２開口部４１ａ′，４１ｂ′を介して外部と連通している。フランジ部４１ｄ′は、第１開口部４１ａ′の径を規定しているとともに、作用部４１′を本体部４０′に対して固定するための部分である。
【００５６】
搾液具４′は、全体が弾性体として構成されているとともに、第１および第２開口部４１ａ′，４１ｂ′の径が異なったものされているため、挿入方向Ｎ″に対する抵抗に比べて、抜脱方向Ｎ′に対する抵抗のほうが大きくなるように構成されている。したがって、搾液具４′では、たとえば作用部４１′に挿通した格好で指先１０を本体部４０′の内部に収容した上で、指先１０を切開した後に本体部４０′から指先１０を抜脱することにより、指先１０から血液を搾り出すことができる。作用部４１′に指先１０を挿通した場合には、作用部４１′の全体が弾性体として構成されているとともに、第２開口部４１ｂ′のサイズが指先１０の寸法よりも小さくなされていることから、第２開口部４１ｂ′の径が大きくされる一方で、指先１０における第２開口部４１ｂ′の近傍に締め付け力が作用する。これにより、指先１０が鬱血させられる。一方、指先１０が切開された状態で作用部４１′から指先１０を抜脱した場合には、指先１０における第２開口部４１ｂ′の近傍に締め付け力が作用しているために、指先１０からは血液が搾り出される。作用部４１′においては、第２開口部４１ｂ′によって指先１０が鬱血させられているために、これによって、より適切に血液を搾り出すことができる。
【００５７】
もちろん、指先１０を切開するタイミングは、本体部４０′に指先１０を収容（作用部４１′に指先１を挿通）した後には限定されず、本体部４０′に指先１０を収容（作用部４１′に指先１を挿通）する前であってもよい。
【００５８】
本発明は、上述した第１および第２の実施の形態には限定されず、種々に変更可能である。たとえば、バイオセンサ２３は、搾液具４，４′に設けてもよい。
【図面の簡単な説明】
【００５９】
【図１】本発明の第１の実施の形態に係る穿刺装置の一例を示す断面図である。
【図２】図１に示した穿刺装置の要部を一部破断して示した斜視図である。
【図３】図１に示した穿刺装置における穿刺機構を説明するための要部を拡大した断面図である。
【図４】図１に示した穿刺装置における搾液具を説明するための要部を拡大した断面図である。
【図５】図１に示した穿刺装置に装着して使用するランセットの全体斜視図である。
【図６】図５のVI−VI線に沿う断面図である。
【図７】図５のVII−VII線に沿う断面図である。
【図８】図５〜図７に示したランセットにおいて、キャップ部を取り外した状態を示す断面図である。
【図９】図５のXI−XI線に沿う断面図である。
【図１０】ランセットの内部構成を説明するための一部を切り欠いて示した要部斜視図である。
【図１１】図１０に示した状態のランセットの平面図である。
【図１２】ランセットの動作を説明するための断面図である。
【図１３】ランセットの動作を説明するための断面図である。
【図１４】ランセットに組み込まれたバイオセンサの全体斜視図である。
【図１５】図１４に示したバイオセンサの分解斜視図である。
【図１６】図１４のＸVI−ＸVI線に沿う断面図である。
【図１７】図１４のＸVII−ＸVII線に沿う断面図である。
【図１８】図１に示した穿刺装置の使用方法を説明するための要部断面図である。
【図１９】穿刺機構の動作を説明するための要部断面図である。
【図２０】バイオセンサにおける血液の導入過程を説明するための要部断面図である。
【図２１】本発明の第２の実施の形態に係る搾液具を示す断面図である。
【図２２】図２１に示した搾液具における作用部を示す斜視図である。
【符号の説明】
【００６０】
１  穿刺装置
１０  指先
４，４′  (穿刺装置の)搾液具
４０  (搾液具の)本体部(収容部)
４０ａ  (搾液具の)収容空間
４０ｃ  (搾液具の)貫通孔
４１，４１′  (搾液具の)作用部
４１ａ′  （作用部の）第１開口部
４１ｂ′  （作用部の）第２開口部
【図１】
0004621850.tif 000002
【図２】
0004621850.tif 000003
【図３】
0004621850.tif 000004
【図４】
0004621850.tif 000005
【図５】
0004621850.tif 000006
【図６】
0004621850.tif 000007
【図７】
0004621850.tif 000008
【図８】
0004621850.tif 000009
【図９】
0004621850.tif 000010
【図１０】
0004621850.tif 000011
【図１１】
0004621850.tif 000012
【図１２】
0004621850.tif 000013
【図１３】
0004621850.tif 000014
【図１４】
0004621850.tif 000015
【図１５】
0004621850.tif 000016
【図１６】
0004621850.tif 000017
【図１７】
0004621850.tif 000018
【図１８】
0004621850.tif 000019
【図１９】
0004621850.tif 000020
【図２０】
0004621850.tif 000021
【図２１】
0004621850.tif 000022
【図２２】
0004621850.tif 000023